(57)【要約】  成形剛毛塗布具は、複数の個別の螺旋形剛毛区分が配置された円筒形のコアを有する。この実施形態に応じて、個別の螺旋形区分はすべて、コアの軸の周りに同じ方向(すなわち、時計回りもしくは反時計回り)に渦巻き形をなし、またはいくつかの螺旋形区分が一つの方向に渦巻き形をなし、いくつかの螺旋形区分が反対の方向に渦巻き形をなす。【選択図】６Ｂ
2020505161.tif 000002
【特許請求の範囲】
【請求項１】
長手方向の中心軸(A-A)を有する円筒形のコア(1)と、
前記コア(1)から立ち上がる成形剛毛(3a)の複数の螺旋形区分(3, 3')と、を備え、
各螺旋形区分が長手方向軸(A-A)の周りで螺旋状に配置される、
成形ブラシヘッド(10)。
【請求項２】
すべての螺旋形剛毛区分は、前記コア(1)の前記長手方向軸(A-A)の周りに同じ方向に渦巻き形をなす、請求項1に記載の成形ブラシヘッド(10)。
【請求項３】
いくつかの螺旋形剛毛区分(3)は、前記コア(1)の前記長手方向軸(A-A)の周りに一つの方向に渦巻き形をなし、その他の前記螺旋形剛毛区分(3')は、前記コア(1)の前記長手方向軸(A-A)の周りに反対の方向に渦巻き形をなす、請求項1に記載の成形ブラシヘッド(10)。
【請求項４】
ブラシヘッド(10)の近位の半分のすべての前記螺旋形剛毛区分(3)は、一つの方向に渦巻き形をなし、ブラシヘッド(10)の遠位の半分のすべての前記螺旋形剛毛区分(3')は、反対の方向に渦巻き形をなす、請求項3に記載の成形ブラシヘッド(10)。
【請求項５】
ブラシヘッド(10)の近位部分は、両方向に渦巻き形をなす前記螺旋形剛毛区分(3, 3')を支持する、請求項3に記載の成形ブラシヘッド(10)。
【請求項６】
あらゆる螺旋形剛毛区分(3, 3')の長手方向範囲は、剛毛外囲面の長さの半分より小さい、請求項1に記載の成形ブラシヘッド(10)。
【請求項７】
すべての螺旋形剛毛区分は、同じピッチを有する、請求項1に記載の成形ブラシヘッド(10)。
【請求項８】
すべての螺旋形剛毛区分は、同じピッチを有しない、請求項1に記載の成形ブラシヘッド(10)。
【請求項９】
螺旋形剛毛区分(3, 3')は、ブラシヘッド(10)の近位の半分および遠位の半分が互いに鏡像になるように配置される、請求項1に記載の成形ブラシヘッド(10)。
【発明の詳細な説明】
【技術分野】
【０００１】
本発明は、化粧品塗布具の分野にあり、剛毛が螺旋形区分内に配置された成形ブラシに関する。独特の剛毛配置により、送達ならびに睫毛および眉毛の手入れにおいて新しい体験を提供する。
【背景技術】
【０００２】
本明細書では、「螺旋」および「渦巻き」という用語を同義語として取り扱う。螺旋の特性は、幾何学的によく知られている。渦巻きまたは螺旋は、中心の長手方向軸を有する3次元の曲線である。螺旋上のあらゆる点で、接線と軸との間の角度は、一定である。曲率半径が一定である円筒形の螺旋、または曲率半径が連続して変動する円錐形および球形の螺旋について述べることがある。螺旋のピッチは、螺旋の完全な1周の高さであり、螺旋の軸に対して平行に測定される。二重または三重の螺旋は、同じ軸を共有するが軸に沿った並進によって異なる二つまたは三つの(典型的には合同の)渦巻きからなる。
【０００３】
円筒形のコアを有するブラシヘッドは、中心の長手方向軸を有する。渦巻き形の(すなわち螺旋形の)配置を含めて、円筒形のコア上の剛毛の多くの配置が知られている。渦巻き形の配置の最も一般的な例は、捩れワイアコアブラシである。この従来のブラシでは、典型的には剛毛が、剛毛外囲面の一端から他端へ一つの連続螺旋を形成する(「剛毛外囲面」とは、ブラシヘッドにおけるすべての剛毛の自由端によって画定される3次元表面である)。したがって、ブラシは、ブラシの一端から他端へ常に同じ方向に捩れる厳密に一つの螺旋形区分の剛毛から構成される。
【０００４】
対照的に、米国特許第6,341,913号は、剛毛の第1の部分がコアに沿って時計回り方向に渦巻き形をなし、剛毛の第2の部分がコアに沿って反時計回り方向に渦巻き形をなす捩れワイアコアブラシを開示している。二つの剛毛部分は、ワイアコアの中間で交わり、ワイアコアの一端から他端へ剛毛の一つの連続配置を形成する。これは、コアから生じる剛毛が複数の個別の螺旋形区分に配置される本発明とは異なる。
【０００５】
米国特許第4,600,328号および米国特許第5,611,361号はそれぞれ、二つのブラシからなるマスカラ塗布具を開示している。各ブラシは、剛毛の渦巻き形の配置を有する捩れワイアコアを備え、したがって一方のブラシ上の剛毛は、時計回り方向に渦巻き形をなし、第2のブラシ上の剛毛は、反時計回り方向に渦巻き形をなす。各ブラシに対して、剛毛部分は、ワイアコアの一端から他端へ延びる一つの連続する渦巻きである。これは、剛毛がすべて単一のコアから生じ、複数の個別の螺旋形区分に配置され、単一のコア上で螺旋形区分のいくつかが時計回り方向に渦巻き形をなし、螺旋形区分のいくつかが反時計回り方向に渦巻き形をなす本発明とは異なる。
【発明の概要】
【０００６】
本発明は、複数の個別の螺旋形剛毛区分が配置された円筒形のコアを有する成形剛毛塗布具を含む。この実施形態に応じて、個別の螺旋形区分はすべて、コアの軸の周りに同じ方向(すなわち、時計回りもしくは反時計回り)に渦巻き形をなし、またはいくつかの螺旋形区分が一つの方向に渦巻き形をなし、いくつかの螺旋形区分が反対の方向に渦巻き形をなす。
【図面の簡単な説明】
【０００７】
【図１Ａ】螺旋形区分から構成された成形ブラシの第1の実施形態の立面図である。
【図１Ｂ】部分的に構築された図1Aのブラシを示す図である。
【図２Ａ】螺旋形区分から構成された成形ブラシの第2の実施形態の立面図である。
【図２Ｂ】部分的に構築された図2Aのブラシを示す図である。
【図３Ａ】螺旋形区分から構成された成形ブラシの第3の実施形態の立面図である。
【図３Ｂ】部分的に構築された図3Aのブラシを示す図である。
【図４Ａ】螺旋形区分から構成された成形ブラシの第4の実施形態の立面図である。
【図４Ｂ】部分的に構築された図4Aのブラシを示す図である。
【図５Ａ】螺旋形区分から構成された成形ブラシの第5の実施形態の立面図である。
【図５Ｂ】部分的に構築された図5Aのブラシを示す図である。
【図６Ａ】螺旋形区分から構成された成形ブラシの第6の実施形態の立面図である。
【図６Ｂ】部分的に構築された図6Aのブラシを示す図である。
【図７Ａ】螺旋形区分から構成された成形ブラシの第7の実施形態の立面図である。
【図７Ｂ】部分的に構築された図7Aのブラシを示す図である。
【図７Ｃ】部分的に構築された図7Aのブラシの斜視図である。
【図８Ａ】螺旋形区分から構成された成形ブラシの第8の実施形態の立面図である。
【図８Ｂ】部分的に構築された図8Aのブラシを示す図である。
【図８Ｃ】部分的に構築された図8Aのブラシの斜視図である。
【図９Ａ】螺旋形区分から構成された成形ブラシの第9の実施形態の立面図である。
【図９Ｂ】部分的に構築された図9Aのブラシを示す図である。
【図９Ｃ】変動する剛毛の高さが明白な図9Aのブラシの端面図である。
【図１０Ａ】本発明によるブラシの一実施形態の構造を概念化する図である。
【図１０Ｂ】本発明によるブラシの一実施形態の構造を概念化する図である。
【図１０Ｃ】本発明によるブラシの一実施形態の構造を概念化する図である。
【図１０Ｄ】本発明によるブラシの一実施形態の構造を概念化する図である。
【図１０Ｅ】本発明によるブラシの一実施形態の構造を概念化する図である。
【発明を実施するための形態】
【０００８】
以下、化粧品ブラシヘッド上の剛毛の分布について、円筒形の螺旋に関して述べるが、本発明の原理は、円錐形または球形などの他のタイプの螺旋にも適用することができる。
【０００９】
図1Aを参照すると、本発明によるブラシヘッド(10)は、成形コア(1)と、そのコアから立ち上がる成形剛毛(3a)の複数の個別の螺旋形区分(3, 3')から構成される。コアは、少なくとも一つの真直区間と、任意選択で一つ以上の湾曲区間とから構成される。コアの真直区間は、製造公差によるわずかなずれを除いてまっすぐである。コアの真直区間は、長手方向軸A-Aによって画定される。この軸はまた、螺旋軸でもあり、剛毛の螺旋形区分は、螺旋軸の周りにコアの真直区間上に配置される。
【００１０】
本明細書全体にわたって、剛毛(3a)の螺旋形区分の方向について記載するとき、観察者は、ブラシヘッドの長手方向軸を近位から遠位へ、すなわち塗布具の心棒に取り付けられた端部からブラシヘッドの自由端の方を見ている。この視点から、各剛毛区分は、時計回り方向または反時計回り方向の両方ではなくいずれかに捩れる(または渦巻き形をなす)ことができる。図面では、図1Bに示すように、時計回りに捩れる剛毛区分を(3)で示し、反時計回りに捩れる剛毛区分を(3')で示す。
【００１１】
図10Aから図10Eは、本発明によるブラシヘッドの一実施形態の構造の概念図である。図10Aは、心棒(2)から垂下するコア(1)を示す。このコアは、仮想平面(P1)によって半分に分割され、これは螺旋形剛毛区分(3および3')がコアの長さの半分だけ延びることを示す。図10Bは、螺旋形区分である仮想線(1a)を示し、その螺旋形区分の軸は、コアの長手方向軸(A-A)である。線(1a)は、第1の反時計回りの螺旋形剛毛区分(3')の位置を示す。図10Bはまた、第2の螺旋形剛毛区分の仮想線(1b)を示す。線(1b)は、第1の時計回りの螺旋形剛毛区分(3)の位置を示す。剛毛(3a)の基部は、これらの線上に位置する。一端から他端へ、各螺旋形の線(1a)または(1b)は、反対の方向であるが、コアの周りを1/3周し、各線は、同じピッチを有する。したがって、この実施形態では、螺旋形の線(1a)および(1b)は、仮想平面(P1)を介して互いの鏡像である。対照的に、図10Cは、第2の螺旋曲線(1b')がコアの周りを1/4周する状況を示す。この場合、螺旋形の線(1a)および(1b')は、互いに鏡像ではない。図10Dは、図10Bの螺旋形の線(1a)および(1b)に沿って形成された剛毛(3a)を示す。このプロセスがコアの周りで円周方向に合計6回繰り返されると、その結果、図10Eに示すブラシヘッドが得られる。コア(1)上の螺旋形剛毛区分(3)の配置に関する変形例の数は、無制限である。完全に形成されたブラシヘッドのいくつかを、図1Aから図9Aに示す。潜在するパターンがよりよく見えるように、図1Bから図9Bは、部分的に構築されたブラシヘッドを示す。
【００１２】
特徴1:剛毛の螺旋形区分の渦巻きの方向
任意選択で、ブラシヘッドにおける螺旋形剛毛区分はすべて、同じ方向に捩れることができる。別法として、少なくとも一つの剛毛区分が時計回りに捩れ、少なくとも一つの剛毛区分が反時計回りに捩れる。時計回りおよび反時計回りの剛毛区分は、複数のパターンで配置することができる。たとえば、いくつかの剛毛配置は、ブラシヘッドの近位の半分の剛毛(3a)がすべて、一つの方向(すなわち、時計回りまたは反時計回り)に渦巻き形をなし、ブラシヘッドの遠位の半分の剛毛がすべて、反対方向(すなわち、それぞれ反時計回りまたは時計回り)に渦巻き形をなすようになっている(図1B、図2B、および図6B参照)。この配置により、使用者が自身の利き手のみを使用して、かつ/または塗布具の方向をひっくり返す必要なく、睫毛を整えることをより容易にすることができる。別法として、図3B、図4B、図5B、図7B、図8B、および図9Bは、ブラシヘッドの近位および/または遠位部分が両方向に渦巻き形の剛毛を支持する実施形態を示す。これらの配置は、十分な量の化粧品で睫毛のすべての面をより良好に被覆することができる。
【００１３】
特徴2:剛毛の螺旋形区分の長手方向範囲
あらゆる螺旋形区分(3)の長手方向範囲は、剛毛外囲面の長さの半分より小さくても、等しくても、または大きくてもよい。「剛毛外囲面」とは、ブラシヘッドにおけるすべての剛毛の自由端によって画定される3次元表面である。剛毛外囲面の長さは、長手方向軸(A-A)に沿ってブラシヘッドにおける最も近位の剛毛から最も遠位の剛毛で測定される距離である。いくつかの実施形態では、すべての螺旋形区分が、剛毛外囲面の長さの半分以下だけ延びる。たとえば、図1B、図2B、および図6Bは、剛毛外囲面の長さの半分に等しい距離にわたって長手方向に延びる螺旋形剛毛区分を示し、剛毛外囲面の長さの半分より短い螺旋形区分が、図3B、図4B、図5B、図7B、図8B、および図9Bに示されている。また、螺旋形剛毛区分のいくつかが剛毛外囲面の長さの半分を越えて長手方向に延びるブラシヘッドの実施形態も想像に難くない。
【００１４】
特徴3:剛毛の螺旋形区分のピッチ
上述したように、螺旋のピッチとは、螺旋の完全な1周の高さであり、螺旋の軸に対して平行に測定される。本発明は、剛毛の螺旋形区分がすべて、同じピッチを有する配置、ならびに剛毛区分がすべて、同じピッチを有するわけではない配置を含む。剛毛螺旋のピッチを変動させることによって、剛毛の密度をブラシヘッドに沿って変動させることができる。たとえば、コアのうちピッチが比較的大きい区間では、コアのうちピッチが比較的小さい区間と比較すると、剛毛はよりまばらである。その影響は、図6Aに見ることができ、ブラシヘッドの遠位端上の剛毛は、螺旋ピッチがより大きいため、より低密度に配置されている。
【００１５】
特徴4:鏡像で配置された剛毛の螺旋形区分
いくつかのブラシヘッド上の螺旋形の剛毛(3a)の配置は、ブラシヘッドの近位の半分および遠位の半分が互いに鏡像になるようにすることができる。これは、ブラシヘッドにおけるすべての螺旋形区分(3)が同じピッチを有し、螺旋形区分の捩れが軸に沿って互い違いであるときに得ることができる。たとえば、図1Aおよび図2Aでは、時計回りおよび反時計回りの螺旋形区分は、互い違いであり、同じピッチを有し、図6Aでは、時計回りおよび反時計回りの螺旋形区分は、互い違いであるが、同じピッチを有していない。
【００１６】
本発明に含まれる他の剛毛配置は、時計回りおよび反時計回りの螺旋形剛毛区分がコアの長さに沿って互いの間に分布するようになっている。たとえば、時計回りの螺旋形剛毛区分(3)は、コアの長さに沿って、反時計回りの螺旋形剛毛区分(3')と互い違いになることができる(図7A、図8A、図9A)。
【００１７】
いくつかの実施形態では、すべての剛毛は、時計回りの螺旋形区分または反時計回りの螺旋形区分の両方ではなくいずれかに属する。いくつかの実施形態では、一つ以上の剛毛が、時計回りの螺旋形区分および反時計回りの螺旋形区分の両方に属することができる。同じ向き(時計回りまたは反時計回り)の二つ以上の螺旋形区分に属する剛毛はない。すなわち、同じ方向(時計回りまたは反時計回り)に捩れる剛毛区分は、互いに交差せず、好ましくは平行のままである。
【００１８】
上述したように、剛毛の渦巻き形の配置を有するブラシヘッドの一般的な例は、捩れワイアコアブラシであり、この捩れワイアコアブラシは剛毛の厳密に一つの螺旋形区分から構成される。本発明の好ましい実施形態は、2から50個の螺旋形区分または部位から構成される。たとえば、図7Aのブラシヘッドは、48個の螺旋形区分または部分を有し、図8Aのブラシヘッドは、40個の螺旋形区分または部分を有し、図9Aのブラシヘッドは、28個の螺旋形区分を有し、図1Aおよび図6Aのブラシヘッドは、12個の螺旋形区分を有し、図4Aのブラシヘッドは、32個の螺旋形区分を有し、図2Aのブラシヘッドは、20個の螺旋形区分を有する。
【００１９】
本発明による単一のブラシヘッドでは、すべての剛毛(3a)が同じ高さまたは形状である必要はない。図7A、図8A、および図9Aは、高さが変化する剛毛を有するブラシヘッドを示す。本明細書に記載するブラシヘッドは、一つ以上のプラスチックまたはエラストマ材料で射出成形などの標準的な成形方法によって成形される。ハンドルに取り付けるための剛性の心棒(2)は、コア(1)と一体成形することができる。別法として、コアの近位端が、剛性の心棒要素を受け取るための中空区間を有することができる。
【００２０】
本発明のいくつかの実施形態では、コア(1)は、二つ以上の円筒形区間を含むことができ、すなわちコアを曲げることができる。その場合、コアの円筒形区間の一方または両方に、複数の個別の螺旋形区分を配置することができる。上述した特徴はすべて、各円筒形区間に個々に適用することができ、したがって本発明の変形例の数およびブラシヘッド(10)の有用性を増大させることができる。
【００２１】
本発明のいくつかの実施形態では、コア(1)は、湾曲区間を含むことができる。本発明の原理は、湾曲区間の中心経線を螺旋形剛毛区分の軸として使用することによって、湾曲区間にも適用することができる。上述した特徴をすべて適用可能とすることができる。
【図１Ａ】
2020505161.tif 000003
【図１Ｂ】
2020505161.tif 000004
【図２Ａ】
2020505161.tif 000005
【図２Ｂ】
2020505161.tif 000006
【図３Ａ】
2020505161.tif 000007
【図３Ｂ】
2020505161.tif 000008
【図４Ａ】
2020505161.tif 000009
【図４Ｂ】
2020505161.tif 000010
【図５Ａ】
2020505161.tif 000011
【図５Ｂ】
2020505161.tif 000012
【図６Ａ】
2020505161.tif 000013
【図６Ｂ】
2020505161.tif 000014
【図７Ａ】
2020505161.tif 000015
【図７Ｂ】
2020505161.tif 000016
【図７Ｃ】
2020505161.tif 000017
【図８Ａ】
2020505161.tif 000018
【図８Ｂ】
2020505161.tif 000019
【図８Ｃ】
2020505161.tif 000020
【図９Ａ】
2020505161.tif 000021
【図９Ｂ】
2020505161.tif 000022
【図９Ｃ】
2020505161.tif 000023
【図１０Ａ】
2020505161.tif 000024
【図１０Ｂ】
2020505161.tif 000025
【図１０Ｃ】
2020505161.tif 000026
【図１０Ｄ】
2020505161.tif 000027
【図１０Ｅ】
2020505161.tif 000028
【国際調査報告】
2020505161.tif 000029
2020505161.tif 000030